(57)【要約】【課題】様々な紙やビニールの紐、袋、筒、牛乳パックなどを安全に且つ素早く簡単に切断することである。【解決手段】テーブルの上、机の上、こたつの上などの平坦面に安定して置ける又は、壁面、冷蔵庫の側面などに設置できるようにしたベースフレームに、切断刃とローラーをわずかな隙間を保って相対するように取り付け、ベースフレームとカバーフレームで指が触れないようにした切断刃とローラーの間に、紐、袋、筒などを通すことによりこれらを切断するようにした。 【選択図】図１
2020044605.tif 000002
【特許請求の範囲】
【請求項１】
平坦面に安定して置ける又は、壁面に設置できるようしたベースフレームに、水平方向に回転軸を持つローラーを回転可能に取り付け、このローラーの円周上にわずかなスキを持って相対するよう取り付けた切断刃とローラーの間で、紙、ビニールなどの紐、袋、筒、牛乳パックなどを通すことでこれらを切断するようにしたことを特徴とする安全カッター。
【請求項２】
2層になったベースフレームの間に、切断刃の刃先が内向きになるよう挟み込むように取り付けたことを特徴とする請求項１の安全カッター。
【請求項３】
2層になったベースフレームの間に、切断刃に沿うようにしたサポートフレームを取り付け、切断時の荷重で、切断刃が動かないよう保持するようにしたこと特徴とする請求項１、及び２の安全カッター。
【請求項４】
サポートフレームの先端に、カバーフレームを取り付け、露出している切断刃の先端が、指に触れないようにしたことを特徴とした請求項１、２、３の安全カッター。
【請求項５】
壁面に取り付けるベースフレームに磁石を取り付け、冷蔵庫などの鉄製の金属の側面に脱着できるようにした請求項１の安全カッター。
【発明の詳細な説明】
【技術分野】
【０００１】
本発明は、ビニールひも、ビニール袋、封筒、トイレットペーパーの芯、キッチンペーパーの芯などを容易に且つ安全に切断する安全カッターに関するものである。
【背景技術】
【０００２】
最近のビニール袋は衛生上、端末をウェルダーで溶着し、端にギザギザの切れ目が入れてあり手で破れるようにしているが、中にはウェルダー部がしっかりしているものもあり、指の力の無い子供やお年寄りには破れにくいものなので、はさみを使うことがしばしばであった。又封筒などはきれいに切断したいため、はさみ使うのが一般的であり、牛乳パックやトイレットペーパーの芯、キッチンペーパーの芯などはそのままで捨てるとかさばるので、切断して重ね合わせて資源ごみとして出すためにカッターナイフを使うこともあった。
【０００３】
しかしながら  はさみでカッ切断するのも、カッターで切断するのも、片方の手で品物を、もう一方で刃物を持って切断するため、手を切ってしまうという危険性がどうしても防ぎきれなかった。
この対策として、切断刃が指に触れないよう本体でカバーした手持ちの安全カッターがあるが、柔らかいビニール袋などや、硬いバンドなどは逃げてしまうので、スムーズに切断できなかった。
【先行技術文献】
【特許文献】
【０００４】
【特許文献１】実開昭５５−１７２１６６号公報
【特許文献２】実開昭６３−１８３９７７号公報
【発明の概要】
【発明が解決しようとする課題】
【０００５】
解決しようとする問題点は、様々な紙やビニールの紐、袋、筒などを、どのようにして安全に且つ素早く簡単に切断出来るようにするかという点である。
【課題を解決するための手段】
【０００６】
本発明は、平坦面に安定して置けるよう又は壁面に設置出来るようにしたベースフレームに、切断刃とローラーをわずかな隙間を保って相対するように取り付け、切断刃とローラーの間に紐、袋、筒などを通すことによりこれらを切断するようにしたことを最も主要な特徴とする。
【発明の効果】
【０００７】
テーブルの上、机の上、こたつの上などに置ける、又は壁、冷蔵庫の側面などに  取り付けられて、紙やビニールの紐、袋、筒、牛乳パックなどを素早く、簡単に且つ安全に切断できるようにしたことである。
【図面の簡単な説明】
【０００８】
【図１】本図は、実施例１の使用状態を示す斜視図である。
【図２】本図は、実施例１の側面図である。
【図３】本図は、実施例１の正面図である。
【図４】本図は、実施例１の平面である。
【図５】本図は実施例１のA―Aの断面図である。
【図６】本図は実施例２の斜視図である。
【発明を実施するための形態】
【０００９】
いろいろな平坦面に置け、又は壁面に設置出来て、様々な紙やビニールの紐、袋、筒などを安全に且つ素早く簡単に切断することを最小の形状と最小の部品点数で実現できた。
【実施例１】
【００１０】
本発明は図２に示すよう、いろいろな平坦面に置けるようにしたベースフレーム１に、切断刃２とローラーサーポフレーム６を介して回転可能に取り付けているローラー５をわずかな隙を保って取り付けている。切断刃２は２層になったベースフレーム１の間に、刃先が内側に来るように切断刃止めねじ７と切断刃止めナット８でベースフレーム１に取り付けられてる。
切断刃２は、切断時に荷重が加わった時、ローラー５から離れないよう、ベースフレーム１に取り付けられたサポートフレーム３によって支えられている。
切断刃２の刃先の大半はベースフレーム１の間に収まっているが、切断刃２の先端とローラー５付近では露出しており危険なので、サポートフレーム３の先端にカバーフレーム４で切断刃２を覆うようにして取り付けてある。
切断時、紐、ベルト、袋などの柔らかい物の切断は、両手の指でこれらを摘まんで張りを持たせながらローラー５と切断刃２の間に通せば簡単にカ切断できるし、トイレットペーパーの芯１８などのやや硬い筒は、ローラー５と切断刃２の間に入れて上から手で押さえれば、ローラー５が回転することで摩擦抵抗が軽減され、軽い力で切断できる。又筒など切断する時と、切断した後に切断刃２から取り外す時、その抵抗が大きくならないようサポートフレーム３の厚さもできるだけ薄くしている。
【実施例２】
【００１１】
図６に示すよう、アタッチベースフレーム１６に磁石１７を取り付け、設置部を壁や冷蔵庫の側面などに取り付けできるよう垂直方向にしている。これによってよって、切断方向への制約がなくなるので、長い物のカ切断が出来、ビニール袋、牛乳パック、キッチンペーパーの芯なども自由に切断できる。
【産業上の利用可能性】
【００１２】
工具を持たないで安全に紐、袋、筒などを切断できるので、あらゆる手作業での使用が十分に考えられる。
【符号の説明】
【００１３】
1                べースフレーム
2                切断刃
3                サポートフレーム
4                カバーフレーム
5                ローラー
6                ローラーサポートフレーム
7                切断刃止めねじ
8                切断刃止めナット
9                ローラーシャフト
10            取り付けビスA
11            取り付けビスB
12            取り付けシャフト
13            スペーサー
14            ワッシャー
15  ワッシャー&#8557;
16  アタッチベースフレーム
17  磁石
18  トイレットペーパーの芯
【図１】
2020044605.tif 000003
【図２】
2020044605.tif 000004
【図３】
2020044605.tif 000005
【図４】
2020044605.tif 000006
【図５】
2020044605.tif 000007
【図６】
2020044605.tif 000008